(57)【要約】【課題】施工や梱包、保管において取り扱いがしやすいパイプ支持具を提供する。【解決手段】パイプ支持具１のバンド部１０は、軟質帯状材１１よりなるバンド本体１１と、バンド本体１１を、パイプ５を抱持、締め付けするように環状にした状態で固定可能とした留め部２０とを有しており、固定部３０は、その前端に、パイプ５の周方向に沿うように形成された、バンド保持部３２を有する保持板部３１を有しており、保持板部３１はパイプ５に巻きつけたバンド部１０をバンド保持部３２で保持する構成とされ、その後端側には壁３に打設される打込み部４３が設けられている。【選択図】図１
2018071668.tif 000002
【特許請求の範囲】
【請求項１】
パイプを抱持、締め付けするバンド部と、該バンド部を前端側で保持し、後端側が壁に固定される固定部とを備えたパイプ支持具であって、
前記バンド部は、軟質帯状材よりなるバンド本体と、該バンド本体を、前記パイプを抱持、締め付けするように環状にした状態で固定可能とした留め部を有しており、
前記固定部は、その前端に、前記パイプの周方向に沿うように形成された、バンド保持部を有する保持板部を有しており、該保持板部は前記パイプに巻きつけた前記バンド部を前記バンド保持部で保持する構成とされ、その後端側には壁に打設される打込み部が設けられていることを特徴とするパイプ支持具。
【請求項２】
請求項１において、
前記留め部は、前記バンド本体の一端部に固着または一体成形されており、
前記バンド保持部は、前記保持板部における前記パイプの周方向に沿った両端部に開設されたバンド通し孔を有してなり、
前記バンド通し孔の両方に通したバンド本体の前記バンド通し孔間の部分が、前記保持板部と、前記バンド本体を巻きつけた前記パイプとの間に配されるようになっており、
前記バンド本体の一端部と他端部とが、前記留め部で固定されることを特徴とするパイプ支持具。
【請求項３】
請求項１において、
前記バンド保持部は、前記保持板部における前記パイプの周方向の両端部に開設されたバンド通し孔を有してなり、
前記バンド通し孔の一方には前記バンド本体の長手方向の一端部が挿通されて固定され、前記バンド通し孔の他方には前記パイプに巻きつけた前記バンド本体の長手方向の他端部が挿通され折り返されるようになっており、
折り返された前記バンド本体の他端部と、前記パイプに巻きつけた前記バンド本体の一部とが前記留め部で固定されることを特徴とするパイプ支持具。
【請求項４】
請求項１〜３のいずれか１項において、
前記固定部は、前記保持板部と、壁に固定される取付基部とを連結できる構成とされており、
前記固定部および前記取付基部のそれぞれは、相互に重合して固定具で固定される固定具挿通孔を有した板状取付部を備えており、固定具挿通孔のうちのすくなくとも一方が前後方向に長い長孔とされることを特徴とするパイプ支持具。
【発明の詳細な説明】
【技術分野】
【０００１】
本発明は、外壁などの構造物の表面に沿って上下方向等に配設される雨樋などのパイプを抱持して支持するパイプ支持具に関する。
【背景技術】
【０００２】
従来のパイプ支持具は通例、たとえば特許文献１に記載されたもののように、ヒンジ部で開閉可能とした、金属板や樹脂版などの硬質帯状材よりなる環状のバンド部を有しており、このバンド部でパイプを抱持して支持するようになっている。
【先行技術文献】
【特許文献】
【０００３】
【特許文献１】特開２０１６−１４２２８８号公報
【発明の概要】
【発明が解決しようとする課題】
【０００４】
ところで、パイプにはさまざまな径のものがあるため、当然にその径におうじた径のバンド部が必要とされる。したがって従来では、パイプの大きさにおうじたバンド部を準備しなければならなかった。また、バンド部は硬質材料で形成され、かつ固定用の取付片部を延出したいびつな形状となっているため、施工や梱包、保管において取り扱いがしにくかった。
【０００５】
本発明は、このような事情を考慮して提案されたもので、その目的は、施工や梱包、保管において取り扱いがしやすいパイプ支持具を提供することにある。また、１種のもので径が異なる種々のパイプに使用できるようにすることも、本発明の目的とされる。
【課題を解決するための手段】
【０００６】
上記目的を達成するために、請求項１に記載のパイプ支持具は、パイプを抱持、締め付けするバンド部と、バンド部を前端側で保持し、後端側が壁に固定される固定部とを備えたパイプ支持具であって、バンド部は、軟質帯状材よりなるバンド本体と、バンド本体を、パイプを抱持、締め付けするように環状にした状態で固定可能とした留め部とを有しており、固定部は、その前端に、パイプの周方向に沿うように形成された、バンド保持部を有する保持板部を有しており、保持板部はパイプに巻きつけたバンド部をバンド保持部で保持する構成とされ、その後端側には壁に打設される打込み部が設けられていることを特徴とする。
【０００７】
請求項２に記載のパイプ支持具は、留め部は、バンド部の一端部に固着または一体成形されており、バンド保持部は、保持板部におけるパイプの周方向に沿った両端部に開設されたバンド通し孔を有してなり、バンド通し孔の両方に通したバンド部のバンド通し孔間の部分が、保持板部と、バンド部を巻きつけたパイプとの間に配されるようになっており、バンド部の一端部と他端部とが、留め部で固定されることを特徴とする。
【０００８】
請求項３に記載のパイプ支持具は、バンド保持部は、保持板部におけるパイプの周方向の両端部に開設されたバンド通し孔を有してなり、バンド通し孔の一方にはバンド部の長手方向の一端部が挿通されて固定され、バンド通し孔の他方にはパイプに巻きつけたバンド部の長手方向の他端部が挿通され折り返されるようになっており、折り返されたバンド部の他端部と、パイプに巻きつけたバンド部の一部とが留め部で固定されることを特徴とする。
【０００９】
請求項４に記載のパイプ支持具は、固定部は、保持板部と、壁に固定される取付基部とを連結できる構成とされており、固定部および取付基部のそれぞれは、相互に重合して固定具で固定される固定具挿通孔を有した板状取付部を備えており、固定具挿通孔のうちのすくなくとも一方が前後方向に長い長孔とされることを特徴とする。
【発明の効果】
【００１０】
請求項１に記載のパイプ支持具によれば、上述した構成となっているため、施工や梱包、保管において取り扱いがしやすくなる。また、現場での施工作業、特にパイプ抱持作業がしやすくなる。また、軟質帯状材でパイプを抱持する構成であるため、１種のパイプ支持具で種々の径のパイプに用いることができる。
【００１１】
請求項２または３に記載のパイプ支持具によれば、上述した構成となっているため、パイプの全周を、バンド部と保持板部とでしっかりと抱持することができる。
【００１２】
請求項４に記載のパイプ支持具によれば、上述した構成となっているため、パイプの出具合調整をすることもできる。
【図面の簡単な説明】
【００１３】
【図１】本発明の一実施形態に係るパイプ支持具の説明図である。（ａ）は分解斜視図、（ｂ）は取付状態を示す平面図である。
【図２】留め部の他例を示す横断面図である。（ａ）は解除された状態を示す図で、（ｂ）は固定された状態を示す図である。
【図３】（ａ）（ｂ）は、本発明の他の実施形態に係るパイプ支持具の取付手順を示す平面図である。
【発明を実施するための形態】
【００１４】
以下に、本発明の実施の形態について、図面を参照して説明する。なお、以下の実施形態の説明における前後方向等の方向は、パイプ支持具１が取り付けられた状態を基準としている。
【００１５】
本パイプ支持具１は、パイプ５を抱持、締め付けするバンド部１０と、バンド部１０を前端側で保持し、後端側が壁に固定される固定部３０とを備えている。バンド部１０は、軟質帯状材１１よりなるバンド本体１１と、バンド本体１１を、パイプ５を抱持、締め付けするように環状にした状態で固定可能とした留め部２０とを有している。また、固定部３０は、その前端に、パイプ５の周方向に沿うように形成された、バンド保持部３２を有する保持板部３１を有している。保持板部３１は、パイプ５に巻きつけたバンド部１０をバンド保持部３２で保持する構成とされ、その後端側には壁３に打設される打込み部４３が設けられている。
【００１６】
このパイプ支持具１は、竪樋やその他種々のパイプ５を取りつける際に用いられ、たとえば壁３などに上下方向に複数のものを設置して、それら複数のパイプ支持具１で上下方向に配するパイプ５を支持できるようになっている。
【００１７】
なお、以下の２実施形態のパイプ支持具１はいずれも、固定部３０は相互別体とされた、上記保持板部３１と、壁３に固定される取付基部４０とを有している。取付基部４０は、壁３に添設される基板部４１を有し、その後方にねじ部を有した打込み部４３を備え、前方に保持板部３１を固定するための長孔よりなる固定具挿通孔４２ａを有した板状取付部４２を備えている。
【００１８】
また、保持板部３１は、バンド保持部３２の中央より後方に延びた、２つの丸孔よりなる固定具挿通孔３７ａを有した板状取付部３７を備えている。
【００１９】
取付基部４０の板状取付部４２と、保持板部３１の板状取付部３７とは、それらを重合させて固定具挿通孔４２ａ、３７ａどうしが重合して形成された挿通孔にボルト４５を通し、ナット４６で固定できるようになっており、長孔でパイプ５の出具合調整ができるようになっている。なお、出具合調整をするためには、取付基部４０の板状取付部４２に丸孔を設け、保持板部３１の板状取付部３７に長孔を設けた構成としてもよいし、両方に長孔を設けた構成としてもよい。
【００２０】
ついで、図１に示したパイプ支持具１について詳述する。
【００２１】
図１（ａ）（ｂ）に示すように、保持板部３１のバンド保持部３２はパイプ５の周方向に沿うように湾曲形状となっており、両端部には段差部３３、３３を介して、パイプ５に当接する当接部３５、３５を有している。段差部３３にはバンド部１０のバンド本体１１を通すバンド通し孔３４が開設されている。
【００２２】
バンド部１０は、バンド本体１１が柔軟な樹脂材料あるいは薄板金属材料などの軟質帯状材で形成され、内面に長手方向に連続した凹凸よりなる係止部１１ａが形成されている。バンド本体１１の一端には留め部２０が一体に成形されている。この留め部２０は、バンド挿通開口２０ａを有しており、内部には係止部１１ａが係止される係止受部（不図示）が形成されている。係止部１１ａと係止受部との係止構造は、バンド本体１１を１点鎖線の矢印方向より留め部２０のバンド挿通開口２０ａにいったん通すと、逆戻り（引き抜き）ができないようになっている。
【００２３】
図１（ａ）（ｂ）に示すように、バンド本体１１の他端を保持板部３１の前面に配されるように２つのバンド通し孔３４に通し、パイプ５にバンド本体１１を巻きつけるようにし、バンド本体１１の他端を留め部２０で留めることでパイプ５を抱持することができる。
【００２４】
図１（ｂ）に示すように、バンド通し孔３４の両方に通したバンド部１０（バンド本体１１）のバンド通し孔３４間の部分が、保持板部３１と、バンド本体１１を巻きつけたパイプ５との間に配される。つまり、パイプ５はその全周にバンド部１０が巻きつけられてしっかりと抱持され、さらに当接部３５に当接されてしっかりと固定される。
【００２５】
このように、バンド部１０のバンド本体１１として軟質帯状材が用いてあるので、施工においてバンド部１０の取り扱いがしやすく、パイプ固定作業を迅速に行うことができる。また、バンド本体１１が軟質帯状材であるため、梱包、保管の際にはそのバンド本体１１自体を折りたたんだり、丸めたりすればよく、工場出荷までの取り扱いもしやすい。
【００２６】
また、パイプ５の施工後にバンド部１０を取り替える場合には、バンド部１０のバンド本体１１を切断し新たなバンド部１０を用いればよく、再取り付けも比較的簡単に行うことができる。
【００２７】
さらに、軟質帯状材でバンド本体１１を形成しているため、１種のパイプ支持具１で種々の径のパイプ５に用いることができ、製造手間、製造コストを低減化することができる。また、バンド本体１１の長さが足りないような径のパイプ５を支持する場合でも、バンド本体１１を長めのものに取り換えればよく、現場でも対応できるし、コスト的にもメリットが大きい。
【００２８】
ついで、図１に示した実施形態における留め部２０の他の例について、図２を参照しながら説明する。
【００２９】
図２に示した留め部２０は、ベース部２２およびそのベース部２２に略平行に配した支軸片２３とよりなる本体部２１と、挟着片２５とを有してなり、バンド本体１１とは別体とされている。
【００３０】
ベース部２２には、２つのバンド挿入孔２２ａが開設されている。また、ベース部２２と支軸片２３との間の折曲部２４には、２つのバンド固定用孔２４ａが設けられ、それらの孔にバンド本体１１の一端が固定されている。支軸片２３の先端には支軸部２３ａが形成され、その支軸部２３ａに挟着片２５が回動自在に取りつけられている。
【００３１】
挟着片２５は、操作バー２５ｂと挟着部２５ａとを有した構成とされ、操作バー２５ｂは、支軸片２３から離れた状態（図２（ａ）参照）と、支軸片２３に近接した状態（図２（ｂ）参照）との間で回動自在となっている。挟着部２５ａは偏心構造とされ、図２（ａ）の状態ではベース部２２との間に隙間Ｓが形成されるが、図２（ｂ）の状態では挟着部２５ａの先端がベース部２２を押圧するようにベース部２２に近づく。
【００３２】
バンド本体１１の他端をベース部２２のバンド挿入孔２２ａに図２（ａ）のように通し、ベース部２２の挟着片２５側の面に重ね、その重ねた状態のバンド部１０のバンド本体１１を挟着部で押圧することでバンド部１０を固定することができる。なお、バンド本体１１の重合ずれが起きないように、バンド本体１１の外面に相互に噛み合う連続凹凸を形成してもよい。
【００３３】
このような留め部２０を用いれば、バンド部１０の取り付け、取り外しが簡単にできる。バンド本体１１が劣化した場合でも、バンド部１０のバンド本体１１のみを取り替えればよい。
【００３４】
つぎに、図３を参照しながら、他の実施形態に係るパイプ支持具１について説明する。
【００３５】
図３（ａ）（ｂ）に示すように、保持板部３１のバンド保持部３２はパイプ５の周方向に沿うように湾曲形状となっており、その両端部にはバンド通し孔３４が開設されている。なお、この保持板部３１は、図３に示すように、図１のもののような段差部３３は形成されていないことが望ましい。
【００３６】
バンド部１０は、柔軟な樹脂材料あるいは薄板金属材料などで形成されている。バンド本体１１の一端はバンド保持部３２のバンド通し孔３４に挿通され、固定されている。また、バンド本体１１には別体の留め部２０が挿通されている。この留め部２０は、図３（ｂ）の拡大図に示すように、２つのバンド挿通開口２０ａにバンド本体１１が挿通されるようになっている。
【００３７】
図３（ａ）（ｂ）に示すように、バンド部１０のバンド本体１１の他端を他のバンド通し孔３４に内側より通して、パイプ５にバンド本体１１を巻きつけるようにし、他端を留め部２０のバンド挿通開口２０ａに通し締め付けることでパイプ５を抱持することができる。
【００３８】
図３のものは、バンド本体１１はパイプ５の全周には巻きつけられないが、その代わりに湾曲形状のバンド保持部３２でパイプ５の一部をしっかりと支持することができる。
【００３９】
バンド部１０がずれないように、バンド本体１１の外側には相互に噛み合う連続凹凸を形成することが望ましい。また、留め部２０には、衣料用ベルトや時計バンドのように、つく棒と小穴とによる係止構造を付加してもよい。
【符号の説明】
【００４０】
１            パイプ支持具
３            壁
５            パイプ
１０          バンド部
１１          バンド本体（軟質帯状材）
１１ａ        係止部
２０          留め部
３０          固定部
３１          保持板部
３２          バンド保持部
３４          バンド通し孔
３７          板状取付部
３７ａ        固定具挿通孔
４０          取付基部
４１          基板部
４２          板状取付部
４２ａ        固定具挿通孔
４３          打込み部
４５        ボルト（固定具）
４６        ナット（固定具）
【図１】
2018071668.tif 000003
【図２】
2018071668.tif 000004
【図３】
2018071668.tif 000005
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
パイプを抱持、締め付けするバンド部と、該バンド部を前端側で保持し、後端側が壁に固定される固定部とを備えたパイプ支持具であって、
前記バンド部は、軟質帯状材よりなるバンド本体と、該バンド本体を、前記パイプを抱持、締め付けするように環状にした状態で固定可能とした留め部を有しており、
前記固定部は、その前端側に配した、前記パイプの後部において周方向に沿うように形成されたバンド保持部、および、該バンド保持部の中央より後方に延びた固定具挿通孔付きの板状取付部を有する保持板部と、
後端側に配した、壁に打設される打込み部、および、前記保持板部の板状取付部と相互に重合して固定具で連結、固定される板状取付部を有する取付基部とを備えており、
前記保持板部は、前記パイプに巻きつけた前記バンド部を前記バンド保持部で保持する構成とされていることを特徴とするパイプ支持具。
【請求項２】
請求項１において、
前記留め部は、前記バンド本体の一端部に固着または一体成形されており、
前記バンド保持部は、前記保持板部における前記パイプの周方向に沿った両端部に開設されたバンド通し孔を有してなり、
前記バンド通し孔の両方に通したバンド本体の前記バンド通し孔間の部分が、前記保持板部と、前記バンド本体を巻きつけた前記パイプとの間に配されるようになっており、
前記バンド本体の一端部と他端部とが、前記留め部で固定されることを特徴とするパイプ支持具。
【請求項３】
請求項１において、
前記バンド保持部は、前記保持板部における前記パイプの周方向の両端部に開設されたバンド通し孔を有してなり、
前記バンド通し孔の一方には前記バンド本体の長手方向の一端部が挿通されて固定され、前記バンド通し孔の他方には前記パイプに巻きつけた前記バンド本体の長手方向の他端部が挿通され折り返されるようになっており、
折り返された前記バンド本体の他端部と、前記パイプに巻きつけた前記バンド本体の一部とが前記留め部で固定されることを特徴とするパイプ支持具。
【請求項４】
請求項１〜３のいずれか１項において、
前記固定部および前記取付基部のそれぞれに設けた前記板状取付部の前記固定具挿通孔のうちのすくなくとも一方が前後方向に長い長孔とされることを特徴とするパイプ支持具。
【手続補正２】
【補正対象書類名】明細書
【補正対象項目名】０００６
【補正方法】変更
【補正の内容】
【０００６】
上記目的を達成するために、請求項１に記載のパイプ支持具は、パイプを抱持、締め付けするバンド部と、バンド部を前端側で保持し、後端側が壁に固定される固定部とを備えたパイプ支持具であって、バンド部は、軟質帯状材よりなるバンド本体と、バンド本体を、パイプを抱持、締め付けするように環状にした状態で固定可能とした留め部とを有しており、固定部は、その前端側に配した、パイプの後部において周方向に沿うように形成されたバンド保持部、および、バンド保持部の中央より後方に延びた固定具挿通孔付きの板状取付部を有する保持板部と、後端側に配した、壁に打設される打込み部、および、保持板部の板状取付部と相互に重合して固定具で連結、固定される板状取付部を有する取付基部とを備えており、保持板部は、パイプに巻きつけたバンド部をバンド保持部で保持する構成とされていることを特徴とする。
【手続補正３】
【補正対象書類名】明細書
【補正対象項目名】００１５
【補正方法】変更
【補正の内容】
【００１５】
本パイプ支持具１は、パイプ５を抱持、締め付けするバンド部１０と、バンド部１０を前端側で保持し、後端側が壁に固定される固定部３０とを備えている。バンド部１０は、軟質帯状材１１よりなるバンド本体１１と、バンド本体１１を、パイプ５を抱持、締め付けするように環状にした状態で固定可能とした留め部２０とを有している。また、固定部３０は、その前端に、パイプ５の後部において周方向に沿うように形成された、バンド保持部３２を有する保持板部３１を有している。保持板部３１は、パイプ５に巻きつけたバンド部１０をバンド保持部３２で保持する構成とされ、その後端側には壁３に打設される打込み部４３が設けられている。
【手続補正４】
【補正対象書類名】明細書
【補正対象項目名】００３５
【補正方法】変更
【補正の内容】
【００３５】
図３（ａ）（ｂ）に示すように、保持板部３１のバンド保持部３２はパイプ５の後部において周方向に沿うように湾曲形状となっており、その両端部にはバンド通し孔３４が開設されている。なお、この保持板部３１は、図３に示すように、図１のもののような段差部３３は形成されていないことが望ましい。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
パイプを抱持、締め付けするバンド部と、該バンド部を前端側で保持し、後端側が壁に固定される固定部とを備えたパイプ支持具であって、
前記バンド部は、軟質帯状材よりなるバンド本体と、該バンド本体を、前記パイプを抱持、締め付けするように環状にした状態で固定可能とした留め部を有しており、
前記固定部は、その前端側に配した、前記パイプの後部において周方向に沿うように形成されたバンド保持部、および、該バンド保持部の中央より後方に延びた固定具挿通孔付きの板状取付部を有し略Ｔ字状をなした保持板部と、
後端側に配した、壁に打設される打込み部、および、前記保持板部の板状取付部と相互に重合して固定具で連結、固定される板状取付部を有する取付基部とを備えており、
前記保持板部は、前記パイプに巻きつけた前記バンド部を前記バンド保持部で保持する構成とされていることを特徴とするパイプ支持具。
【請求項２】
請求項１において、
前記留め部は、前記バンド本体の一端部に固着または一体成形されており、
前記バンド保持部は、前記保持板部における前記パイプの周方向に沿った両端部に開設されたバンド通し孔を有してなり、
前記バンド通し孔の両方に通したバンド本体の前記バンド通し孔間の部分が、前記保持板部と、前記バンド本体を巻きつけた前記パイプとの間に配されるようになっており、
前記バンド本体の一端部と他端部とが、前記留め部で固定されることを特徴とするパイプ支持具。
【請求項３】
請求項１において、
前記バンド保持部は、前記保持板部における前記パイプの周方向の両端部に開設されたバンド通し孔を有してなり、
前記バンド通し孔の一方には前記バンド本体の長手方向の一端部が挿通されて固定され、前記バンド通し孔の他方には前記パイプに巻きつけた前記バンド本体の長手方向の他端部が挿通され折り返されるようになっており、
折り返された前記バンド本体の他端部と、前記パイプに巻きつけた前記バンド本体の一部とが前記留め部で固定されることを特徴とするパイプ支持具。
【請求項４】
請求項１〜３のいずれか１項において、
前記固定部および前記取付基部のそれぞれに設けた前記板状取付部の前記固定具挿通孔のうちのすくなくとも一方が前後方向に長い長孔とされることを特徴とするパイプ支持具。
【手続補正２】
【補正対象書類名】明細書
【補正対象項目名】０００６
【補正方法】変更
【補正の内容】
【０００６】
上記目的を達成するために、請求項１に記載のパイプ支持具は、パイプを抱持、締め付けするバンド部と、バンド部を前端側で保持し、後端側が壁に固定される固定部とを備えたパイプ支持具であって、バンド部は、軟質帯状材よりなるバンド本体と、バンド本体を、パイプを抱持、締め付けするように環状にした状態で固定可能とした留め部とを有しており、固定部は、その前端側に配した、パイプの後部において周方向に沿うように形成されたバンド保持部、および、バンド保持部の中央より後方に延びた固定具挿通孔付きの板状取付部を有し略Ｔ字状をなした保持板部と、後端側に配した、壁に打設される打込み部、および、保持板部の板状取付部と相互に重合して固定具で連結、固定される板状取付部を有する取付基部とを備えており、保持板部は、パイプに巻きつけたバンド部をバンド保持部で保持する構成とされていることを特徴とする。